(57)【特許請求の範囲】
【請求項１】
プラスチック製の食品包装容器において、容器本体は、平面視略円形とし、底面には、略中央を隆起させた載置部と、その周囲の水受け部とを設け、水受け部の内面には、放射状に凸山及び凹溝を交互に複数条形成し、周壁面下部の内面には、円周方向に凸山及び凹溝を交互に複数条形成し、底面及び周壁面下部に連続的に不透明乃至半透明の印刷を施した食品包装容器。
【発明の詳細な説明】
【０００１】
【発明の属する技術分野】
本発明は、食品、特にサラダ、カットフルーツなどを入れるのに使用する食品包装容器に関する。
【０００２】
【従来の技術】
スーパーマーケットやコンビニエンスストアの食品売り場には、プラスチック製の容器に包装されたサラダやカットフルーツなどを棚に陳列して販売されている。これらサラダやカットフルーツなどは内容物をお客様が判断できるように透明な容器に入れられて並べられることが多い。
【０００３】
【発明が解決しようとする課題】
サラダやカットフルーツなどは多量の水分を含んでおり、数時間陳列されていると水分が流れ出して容器の底部に溜まり、透明な容器に入れている場合は、容器の底部に溜まった水分が外側から見えてしまい見栄え的によくないという問題が生じていた。
【０００４】
本発明は、上記の課題に鑑み、サラダやカットフルーツなどの水分が容器の底部に溜まっても見栄えに影響することのない食品包装容器を提供することにある。
【０００５】
【課題を解決するための手段】
上記課題を解決するために、本発明は、プラスチック製の食品包装容器において、容器本体は、平面視略円形とし、底面には、略中央を隆起させた載置部と、その周囲の水受け部とを設け、水受け部の内面には、放射状に凸山及び凹溝を交互に複数条形成し、周壁面下部の内面には、円周方向に凸山及び凹溝を交互に複数条形成し、底面及び周壁面下部に連続的に不透明乃至半透明の印刷を施した食品包装容器とした。上記不透明乃至半透明の印刷は、収納食品から出る水分の色と同色系に着色したものとするのが好ましい。
このようにすることにより、容器内のサラダやカットフルーツなどの水分が流れ出し容器の底部に溜まり始めても不透明又は半透明の印刷が施されているので、底部に溜まった水分を外側からは隠すことができるようにしてあり、また周壁の上方及び蓋体は透明のままにしてあるので外側からは内容物を確認することができるものとしてある。
【０００６】
【発明の実施の形態】
以下、本発明の好適な実施形態を図面を参照して説明する。
図１は、本発明の一実施形態の斜視図、図２は、図１の容器本体の側面図、図３は、図１の容器本体の断面図を示している。
【０００７】
食品包装容器１は、実施形態に示す構成に限定されるものではないが、図１乃至図３では、容器本体２及び蓋体３を備えてなる。両体は、延伸ポリエステル、ポリプロピレン、ポリエチレンテレフタレート、アモルファス・ポリエチレンテレフタレートなど適宜なプラスチックを用い、圧空乃至真空成形などのサーモフォーミング法により成形することができる。
【０００８】
容器本体２は、平面視略円形の底面４の周囲に上方へ適宜の高さに周壁５を立ち上がらせ内部の収納部６を形成している。周壁５の上部は、外方へ折り返してなり、さらにその周縁を下方へ折り返し、蓋体３と係合でできるようにした係合部７としている。また、係合部７の外周の一部には容器本体２と蓋体３とを開け易くするための本体開蓋片８を外方へ延設してある。
【０００９】
底面４の略中央は、上方へ略正八角形状に隆起させた載置部９となし、その周囲は水受け部１０として形成し、この水受け部１０の内面１０ａ及び外面１０ｂは、外側方向へ放射状に凸山及び凹溝を交互に複数条形成した形状としてある。底面４は、白色で印刷が施されており、また周壁５の底面４より適宜高さまでも同じく白色で印刷が施されており、外側より内部を見にくくしている。周壁５の印刷が施された適宜高さまでの内面５ａ及び外面５ｂには、円周方向に隆起又は陥没させた凸山及び凹溝を交互に複数条形成してある。
【００１０】
蓋体３は、平面視略円形をしており、略中央を平面とし、外縁には下方へ開口した断面略コの字状の容器本体２の係合部７に係合する係止部１１を設けてある。また、係止部１１の外周の一部には蓋体３を開け易くするための蓋体開蓋片１２を外方へ延設してある。
【００１１】
このように形成された食品包装容器１は、店頭に陳列される際に、容器本体２の収納部６にサラダやカットフルーツなどを詰め込み、容器本体２の係合部７と蓋体３の係止部１１とを係合させて被覆し、棚などに陳列されるものである。
なお、数時間に渡り食品包装容器１を陳列しておくとサラダやカットフルーツなどの水分が流れ出し底面４へ溜まり始める。従来では、容器本体２としては透明な容器が多く用いられていたため、底面４に溜まり始めた水分が外側から見えてしまい、見栄えがよくなく、お客様に不快感を与えるものであった。
【００１２】
しかし、本発明では、底面４及び周壁５の底面４から適宜高さまで白色の印刷を施し、不透明にしてあり、底面４に水分が溜まっても外側から見えにくいものとしてあるため、数時間に渡り陳列し底面４に水分が溜まり始めても、お客様などからは水分を直接見ることができないので、不快感を与えることをなくすことができ、見栄え的にもよくすることができる。
このとき、周壁５に施す印刷の高さは、特に限定するものではないが、食品包装容器１に入れる内容物により変更し、カットフルーツなど水分が多くでる内容物では、高く設定し、サラダなどあまり水分のでないものは低く設定するのが好ましい。
また、上記実施形態では印刷を白色で施してあるが、この色に限定するものではなく、また不透明ではなく半透明に着色してもよく、さらに収納部６に入れるサラダやカットフルーツから流れ出る水分の色と合わせるようにすれば見栄え的にも更によくすることができる。
【００１３】
底面４には載置部９を設けてあり、収納部６にサラダやカットフルーツなどを詰める際、サラダやカットフルーツなどの内容物は載置部９上に載り、サラダやカットフルーツなどから流れ出た水分はその周囲に設けた水受け部１０に溜まることとなるので、流れ出した水分とサラダやカットフルーツなどの内容物と直接触れることが少なくなり、サラダやカットフルーツ自体が溜まった水分により傷むことを防ぐことができる。
なお、載置部９の上面は透明とし、水受け部１０の外面１０ｂと周壁５のみを不透明乃至半透明とすることもでき、こうすると底方向からも内容物を透視することができる。
上記載置部９や水受け部１０は、必ずしも設ける必要はないが、上記のような効果があるため設けた方が好ましく、また設けた場合の形状は、図のものに限定されるものではなく円形状や四角形状の載置部９としてもよい。
【００１４】
水受け部１０の内面１０ａ及び周壁５の内面５ａ下方寄りには、隆起又は陥没させた凸山及び凹溝が交互に形成されており、水受け部１０に溜まった水分は、凹溝に溜まることとなる。これにより食品包装容器１を多少傾けても水分が流動することを防止でき、このため、お客様が食品包装容器１を手に取り多少傾けたとしても水分が流動することはないので、外側から内部にある水分は目に付きにくくなる。
【００１５】
水受け部１０の外面１０ｂにも凸山及び凹溝を複数条設けてあり、補強とともに、販売する際、棚等に陳列したとき滑り止めの役割を果たし、棚等が振動等により揺れても落ちにくいものとしてある。
また、周壁５の下方寄りの外面５ｂにも、凸山及び凹溝を複数条設けてあり、食品包装容器１を手に取ったときに滑り止めの役割を果たし持ち易くしたものである。
これら水受け部１０の内面１０ａ及び外面１０ｂ、周壁５の内面５ａ及び外面５ｂに形成した凸山及び凹溝は必要に応じ設けるのが好ましい。
【００１６】
【発明の効果】
本発明は、プラスチック製の食品包装容器の底面及び周壁面下部に連続的に不透明乃至半透明の印刷を施し、さらには収納食品から出る水分の色と同色系に着色することにより、食品包装容器内に入れたサラダやカットフルーツなどから流れ出た水分が底部に溜まっても、外側からは見えにくくなり、よって販売する際、棚等に数時間陳列していても見栄えのよいものとすることができる。
【図面の簡単な説明】
【図１】  本発明の一実施形態の斜視図である。
【図２】  図１の実施形態の側面図である。
【図３】  図１の実施形態の断面図である。
【符号の説明】
１  食品包装容器
２  容器本体
３  蓋体
４  底面
５  周壁
５ａ  内面
５ｂ  外面
６  収納部
７  係合部
８  本体開蓋片
９  載置部
１０  水受け部
１０ａ  内面
１０ｂ  外面
１１  係止部
１２  蓋体開蓋片
【図１】
0003961822.tif 000002
【図２】
0003961822.tif 000003
【図３】
0003961822.tif 000004